(57)【要約】【課題】利用者自身のニオイ感覚により、案内対象箇所の近傍を報知する。【解決手段】異なる案内対象の供給ダクトから異なるニオイを含む空気が噴出している。これらの空気は、排出ダクトにより外部に集められる。外部に排出されたニオイを含む空気は、フィルタにより臭気を清浄化され、複数の第１群フローコントローラで複数案内対象毎に空気量を調節して分配される。量を調節された空気は、複数のニオイ発生装置において、案内対象毎に異なるニオイを付与され供給ダクトに連結される。フィルタにより臭気を清浄化された空気は、複数の第２群フローコントローラにより空気量を調節されてニオイ発生装置によりニオイを付与された空気と混合される。利用者が、通路に沿って進み、案内対象の近傍に来ると、当該所定のニオイを感ずることが出来、案内対象の近くに来たことを知ることが出来る。【選択図】  図１
2004237015.tif 000002
【特許請求の範囲】
【請求項１】
案内対象の近傍から当該案内対象別に異なるニオイを含む空気を供給する供給ダクトと、空気を外部に排出する排気ダクトとを備えたことを特徴とするニオイによる案内システム。
【請求項２】
複数案内対象の近傍から当該案内対象別に異なるニオイを含む空気を供給する複数の供給ダクトと、空気を外部に排出する排気ダクトと、排気ダクトから集めた前記空気に含まれる臭気を清浄化するフィルタと、フィルタを通し前記複数案内対象毎に分配された空気量を調節する複数のフローコントローラと、量を調節された空気に案内対象毎に異なる前記ニオイを付与して前記供給ダクトに連結する複数のニオイ発生装置とを備えたことを特徴とする案内システム。
【請求項３】
複数案内対象の近傍から当該案内対象別に異なるニオイを含む空気を供給する複数の供給ダクトと、空気を外部に排出する排気ダクトと、排気ダクトから集めた前記空気に含まれる臭気を清浄化するフィルタと、フィルタを通し前記複数案内対象毎に分配された空気量を調節する複数の第１群フローコントローラと、前記第１群フローコントローラにより量を調節された空気に案内対象毎に異なる前記ニオイを付与して前記供給ダクトに連結する複数のニオイ発生装置と、フィルタの出側から前記ニオイ発生装置の各出側に連結して当該ニオイ発生装置からの空気と混合する空気量を調節する複数の第２群フローコントローラとを備えたことを特徴とする案内システム。
【発明の詳細な説明】
【０００１】
【産業上の利用分野】
この発明は、諸施設が備えられる建物内において、利用者を目標対象箇所へ案内するシステムに関するものである。
【０００２】
【従来の技術】
従来、例えば、視覚障害者に目標対象箇所を案内するものとして、赤外線を利用するものがあった。これは、所定目標対象箇所に赤外線による音声送信機を備え、その赤外線に音声メッセージをのせて変調送信し、利用者が携帯した赤外線による音声受信機により、赤外線を受信し、音声信号を復調して、音声案内を得るものであった。
【０００３】
【発明が解決しようとする課題】
上記のシステムでは、赤外線による音声受信機の利用が可能な場所であることを利用者に報知するために、電波による音声案内を併用している。この方法は、携帯する赤外線による音声受信機の電源をＯＮにしておく必要があり、バッテリーの消耗という問題点や、電源入れ忘れにより対象施設の素通りということもあった。
【０００４】
本発明は上記問題点を鑑みてなされたものであり、利用者自身のニオイ感覚により、案内対象箇所の近傍を報知する案内システムを提供することを目的とする。
【０００５】
【課題を解決するための手段】
上記課題を解決するため請求項１に係る案内システムは、案内対象の近傍から当該案内対象別に異なるニオイを含む空気を供給する供給ダクトと、空気を外部に排出する排気ダクトとを備えたものである。
【０００６】
また、請求項２に係る案内システムは、複数案内対象の近傍から当該案内対象別に異なるニオイを含む空気を供給する複数の供給ダクトと、空気を外部に排出する排気ダクトと、排気ダクトから集めた前記空気に含まれる臭気を清浄化するフィルタと、フィルタを通し前記複数案内対象毎に分配された空気量を調節する複数のフローコントローラと、量を調節された空気に案内対象毎に異なる前記ニオイを付与して前記供給ダクトに連結する複数のニオイ発生装置とを備えたものである。
【０００７】
また、請求項３に係る案内システムは、複数案内対象の近傍から当該案内対象別に異なるニオイを含む空気を供給する複数の供給ダクトと、空気を外部に排出する排気ダクトと、排気ダクトから集めた前記空気に含まれる臭気を清浄化するフィルタと、フィルタを通し前記複数案内対象毎に分配された空気量を調節する複数の第１群フローコントローラと、前記第１群フローコントローラにより量を調節された空気に案内対象毎に異なる前記ニオイを付与して前記供給ダクトに連結する複数のニオイ発生装置と、フィルタの出側から前記ニオイ発生装置の各出側に連結して当該ニオイ発生装置からの空気と混合する空気量を調節する複数の第２群フローコントローラとを備えたものである。
【０００８】
【作用】
請求項１に係る案内システムは、次のように作用する。ある案内対象の供給ダクトから所定のニオイを含む空気が供給され、他の案内対象の供給ダクトから他の所定のニオイを含む空気が供給されている。これらのニオイを含む空気はそれぞれの供給ダクト近傍の排気ダクトにより外部に排出される。利用者が、通路に沿って進み、案内対象の近傍に来ると、当該所定のニオイを感ずることが出来、案内対象の近くに来たことを知ることが出来る。案内対象に音声案内の赤外線による音声送信機を備え、利用者が赤外線による音声受信機を携帯するときは、受信機を送信機からの赤外線を受信できるように向け、所定の音声案内メッセージの内容を聞くことが出来る。
【０００９】
請求項２に係る案内システムは、請求項１の作用に加えて、次のように作用する。ある案内対象の供給ダクトから所定のニオイを含む空気が供給され、他の案内対象の供給ダクトから他の所定のニオイを含む空気が供給されている。これらのニオイを含む空気は、それぞれの供給ダクト近傍の排気ダクトにより外部に排出され集められる。排気ダクトにより外部に排出されたニオイを含む空気は、フィルタにより臭気を清浄化され、フローコントローラで複数案内対象毎に空気量を調節して分配される。量を調節された空気は、複数のニオイ発生装置において、案内対象毎に異なる前記ニオイを付与され供給ダクトに連結される。利用者はこのようにして供給されるニオイを感じて案内案内対象の近くに来たことを知ることが出来る。
【００１０】
請求項３に係る案内システムは、請求項１及び請求項２の作用に加えて、次のように作用する。ある案内対象の供給ダクトから所定のニオイを含む空気が供給され、他の案内対象の供給ダクトから他の所定のニオイを含む空気が供給されている。これらのニオイを含む空気は、それぞれの供給ダクト近傍の排気ダクトにより外部に排出され集められる。排気ダクトにより外部に排出されたニオイを含む空気は、フィルタにより臭気を清浄化され、複数の第１群フローコントローラで複数案内対象毎に空気量を調節して分配される。量を調節された空気は、複数のニオイ発生装置において、案内対象毎に異なる前記ニオイを付与され供給ダクトに連結される。一方、フィルタにより臭気を清浄化された空気は、複数の第２群フローコントローラにより空気量を調節されてニオイ発生装置によりニオイを付与された空気と混合され、供給ダクトには第１群フローコントローラと第２群フローコントローラとに空気量を調整されて供給される。利用者はこのようにして供給されるニオイを感じて案内案内対象の近くに来たことを知ることが出来る。
【００１１】
【実施例】
以下、本発明の一実施例について図を参照して説明する。図１は一実施例を説明する構成図であり、例えば、展示会場に適用した場合のものである。図１において、１０１Ａは会場通路の片側に設けられ案内対象の一つの施設、１０１Ｂは他方側に設けられた案内対象の他の施設、１０２Ａは施設１０１Ａの入口近傍の会場通路上方に設けた供給ダクト、１０２Ｂは施設１０１Ｂの入口近傍の会場通路上方に設けた供給ダクト、１０２Ｃは図示しない施設１０１Ｃの近傍の会場通路上方に設けた供給ダクトである。１０３は会場通路床面に設けた排気ダクトであり、吸入口を床面メッシュ部で分散配置している。１０４は前記排気ダクト１０３に連結したフィルタであり、例えば塵埃除去器、活性炭空気清浄器、温湿度調整器を備える。１０５は前記フィルタ１０４に連結するＩＰポンプ、１０６Ａ，１０６Ｂ，１０６Ｃ…は、ポンプ１０５からの空気を分配して流量をコントロールするフローコントローラであり第１群のフローコントローラを構成する。１０７ａ，１０７ｂ，１０７ｃ…は、ポンプ１０５からの空気を分配して流量をコントロールするフローコントローラであり第２群のフローコントローラを構成する。１０８Ａ，１０８Ｂ，１０８Ｃ…は、それぞれが前記第１群のフローコントローラ１０６Ａ，１０６Ｂ，１０６Ｃ…の出側に連結してそれぞれの空気に案内対象毎に異なるニオイを付与するニオイ発生装置であり、香料を溶かした液体または香料を混入した粉体をカートリッジに納めたものを備え、空気を通すことにより空気に香料を混入してニオイを発生供給させる。ニオイ発生装置１０８Ａ，１０８Ｂ，１０８Ｃ…の各出側は前記第２群のフローコントローラ１０７ａ，１０７ｂ，１０７ｃ…の出側が連結され、前記供給ダクト１０２Ａ，１０２Ｂ，１０２Ｃ及び図示しない供給ダクトに連結される。排気ダクト１０３から供給ダクト１０２Ａ，１０２Ｂ，１０２Ｃまで、例えば会場通路を介して、空気が循環するように構成される。１０９Ａ，１０９Ｂ，１０９Ｃ…は、前記供給ダクト１０２Ａ，１０２Ｂ，１０２Ｃ…に設けられ、ニオイ成分を測定するニオイセンサ、１１０は制御装置であり、各ニオイセンサ１０９Ａ，１０９Ｂ…からの信号により所定のニオイ成分が所定の範囲内にあるように第１群のフローコントローラ１０６Ａ，１０６Ｂ，１０６Ｃ…、第２群のフローコントローラ１０７ａ，１０７ｂ，１０７ｃ…のうちの所定の範囲にないニオイ成分を示す循環路にあるもの、及びフィルタ１０４の湿温度調整器の測定値にを受けて適切な湿度及び温度に調整するように制御する。１１１Ａは施設１０１Ａに設けられた赤外線による音声送信機、１１１Ｂは施設１０１Ｂに設けられた赤外線による音声送信機である。１１２は利用者が携帯する赤外線による音声受信機である。
【００１２】
ポンプ１０５が動作して、会場通路の床面下に設けられた排気ダクト１０３からニオイを含んだ空気が吸い込まれる。この空気は、フィルタ１０４を通してニオイを除去され、清浄化される。さらに、ポンプ１０５により第１群のフローコントローラ１０６Ａ，１０６Ｂ，１０６Ｃ…及び第２群のフローコントローラ１０７ａ，１０７ｂ，１０７ｃ…に送られる。第１群のフローコントローラ１０６Ａ，１０６Ｂ，１０６Ｃ…を通った空気は、ニオイ発生装置１０８Ａ，１０８Ｂ，１０８Ｃ…を通り、それぞれのニオイが付与され、さらに、第２群のフローコントローラ１０７ａ，１０７ｂ，１０７ｃ…による空気と混合される。このとき、各フローコントローラ１０６Ａ，１０６Ｂ，１０６Ｃ…、１０７ａ，１０７ｂ，１０７ｃ…がバルブを開く量は、各供給ダクト１０２Ａ，１０２Ｂ，１０２Ｃ…に設けられたニオイセンサ１０９Ａ，１０９Ｂ…による測定値が所定の範囲内にあるように、制御装置１１０により制御され、ニオイの強さと空気の流量が調整される。適当な濃さのニオイが付与された空気は、供給ダクト１０２Ａ，１０２Ｂ，１０２Ｃ…から出て供給される。
【００１３】
利用者が、通路に沿って進み、一つの案内対象施設１０１Ａの近傍に来ると、一番近い供給ダクト１０２Ａから出る空気に混合した所定のニオイを感ずることが出来、案内対象の近くに来たことを知ることが出来る。そのニオイには、その案内対象施設１０１Ａを連想する象徴的ニオイが付与される。あるいは、利用者には予め例えば、会場入口にニオイサンプルによる予告案内をしておくことにより、当該施設１０１Ａであることを知る。あるいは、利用者が赤外線による音声受信機１１２を携帯するときは、音声受信機１１２の電源をＯＮにして、向きを操作して音声送信機１１１Ａからの赤外線を受信する。音声送信機１１１Ａからは当該施設１０１Ａの案内情報を赤外線に重畳して音声メッセージとして送出していて、音声受信機１１２によりこの案内情報を復調して、施設１０１Ａに関する音声案内メッセージを聞くことが出来る。この赤外線による音声メッセージの送受信は、象徴的ニオイを表現しにくい場合の補完として有効である。
【００１４】
ニオイを付与した供給ダクト１０２Ａからの空気は、排気ダクト１０３により排出されて他の施設に影響がないようにしてあるから、他の案内対象施設１０１Ｂの近傍に来ると、供給ダクト１０２Ａからのニオイよりも、一番近い供給ダクト１０２Ｂから出る空気に混合した所定のニオイを感ずることが出来、案内対象の近くに来たことを知ることが出来る。案内対象施設１０１Ｂ及び供給ダクト１０２Ｂでは、上述の案内対象施設１０１Ａにおける供給ダクト１０２Ａによるニオイ供給による場合と同様に、施設１０１Ｂへの到来の認知または赤外線による音声受信機１１２を携帯する場合はその施設Ｂに関する音声案内メッセージを聞くことが出来る。他の供給ダクト１０２Ｃ…においても同様である。
【００１５】
上記例では、供給ダクト１０２Ａ，１０２Ｂ，１０２Ｃ…は、通路上方に設置しているが、図２のように、供給ダクト２０２Ａ，２０２Ｂ…を各施設２０１Ａ，２０１Ｂ…に直接設けるようにしてもよい。また、通路上方に設置するようにする手段と施設に直接設ける手段を各施設毎に異なるようにして併用してもよく、一つの施設に両方を設けてもよい。なお、図２において、各符号で図１と同じものは同一のものを用いている。
【００１６】
【発明の効果】
以上説明したように本発明によれば、利用者のニオイ感覚により、案内対象の近傍を報知することが出来る。複数の案内対象に対し、異なるニオイを付与することにより、案内対象を識別することが出来る。また、ニオイを付与させた空気と清浄な空気との量を調整することにより、適切な度合いのニオイを利用者に供給することが出来る。
【図面の簡単な説明】
【図１】本発明に係る案内システムの一実施例を説明する構成図である。
【図２】本発明の他の実施例を説明する簡略した構成図である。
【符号の説明】
１０１Ａ，１０１Ｂ，１０１Ｃ…（案内対象の）施設、１０２Ａ，１０２Ｂ，１０２Ｃ…供給ダクト、１０３…排気ダクト、１０４…フィルタ、１０５…ポンプ、１０６Ａ，１０６Ｂ，１０６Ｃ…フローコントローラ（第１群のフローコントローラを構成する）、１０７ａ，１０７ｂ，１０７ｃ…フローコントローラ（第２群のフローコントローラを構成する）、１０８Ａ，１０８Ｂ，１０８Ｃ…ニオイ発生装置、１０９Ａ，１０９Ｂ…ニオイセンサ、１１０…制御装置、１１１Ａ，１１１Ｂ…音声送信機。
【図１】
2004237015.tif 000003
【図２】
2004237015.tif 000004